(57)【要約】【課題】第１媒体よりも幅狭の第２媒体を第２導入口に容易に挿入できる、画像読取装置および搬送装置を提供する。【解決手段】スライドトレイ４は、カード導入口１２１の下方に、筐体２内の収容位置と筐体２外の引出位置との間で移動可能に設けられている。そして、スライドトレイ４は、引出位置において、カード導入口１２１に導入されるカードＣＡを下方から支持可能である。カードＣＡの一端部が使用者の手指等で摘まれて、カードＣＡの他端部が引出位置に位置するスライドトレイ４上でカード導入口１２１に向けて摺動されることにより、その一端部をカード導入口１２１に近づけることができる。このとき、手指等と設置面との間に十分な間隔が確保され得る。【選択図】図４
2014082621.tif 000002
【特許請求の範囲】
【請求項１】
第１導入口と、第１排出口と、前記第１導入口から前記第１排出口へ第１媒体が搬送されるように構成される第１搬送路と、前記第１排出口と少なくとも一部重複し、前記第１媒体よりも幅狭の第２媒体が導入されるように構成される第２導入口と、前記第２導入口から導入される前記第２媒体が搬送されるように構成される第２搬送路と、が形成された筐体と、
前記筐体の前記第２導入口の下方において、前記筐体内に少なくとも一部が収容される収容位置と前記筐体外に少なくとも一部が引き出される引出位置との間で移動可能に設けられ、前記引出位置で前記第２導入口に導入される前記第２媒体を下方から支持可能なトレイと、
前記第１搬送路を搬送される前記第１媒体および前記第２搬送路を搬送される前記第２媒体の画像を読み取るように構成される読取部と、を備える、画像読取装置。
【請求項２】
前記トレイは、前記引出位置に位置するときに、前記第２搬送路と略平行に延びている、請求項１に記載の画像読取装置。
【請求項３】
前記トレイは、前記トレイの先端部に設けられ、前記トレイの載置面に交差する方向に突出する突出部を備える、請求項１または２に記載の画像読取装置。
【請求項４】
前記トレイが前記引出位置に位置しているか否かを検出するように構成されるセンサを備える、請求項１〜３のいずれか一項に記載の画像読取装置。
【請求項５】
前記第１媒体を搬送するように構成される第１ローラと、
前記センサにより前記トレイが前記引出位置に位置することが検知されるときに、前記第１搬送路における前記第１媒体の搬送を禁止するように前記第１ローラを制御する制御部とを備える、請求項４に記載の画像読取装置。
【請求項６】
前記第２導入口に導入される前記第２媒体を搬送するように構成される第２ローラ対を備え、
前記第２ローラ対は、その周面の一部が前記第１排出口側の前記筐体の側面から露出した駆動ローラと、前記駆動ローラの上方かつ前記側面よりも前記第１導入口側に配置され、前記駆動ローラよりも小径の従動ローラとを備える、請求項１〜５のいずれか一項に記載の画像読取装置。
【請求項７】
前記第２搬送路は、前記第１導入口側よりも前記第１排出口側ほど下方に位置するように傾斜している、請求項１〜６のいずれか一項に記載の画像読取装置。
【請求項８】
前記筐体は、上部筐体と下部筐体とを備え、前記上部筐体の下面と前記下部筐体の上面との間に、前記第１導入口と、前記第１排出口と、前記第１搬送路と、が形成され、更に前記第２導入口は、前記第１媒体の搬送方向に直交する第２方向において、前記第１排出口の少なくとも一部と重複して前記上部筐体の下面と前記下部筐体の上面との間に形成され、前記下部筐体の前記搬送方向の前記第１導入口側には、前記第２媒体が通過可能な開口が形成され、
前記第２導入口に導入される前記第２媒体は、前記第１導入口側へ前記開口まで搬送された後、前記第１排出口側へ逆送されて、前記第２導入口から排出されるように構成される、請求項１〜７のいずれか一項に記載の画像読取装置。
【請求項９】
第１導入口と、第１排出口と、前記第１導入口から前記第１排出口へ第１媒体が搬送されるように構成される第１搬送路と、前記第１排出口と少なくとも一部重複し、前記第１媒体よりも幅狭の第２媒体が導入されるように構成される第２導入口と、前記第２導入口から導入される前記第２媒体が搬送されるように構成される第２搬送路と、が形成された筐体と、
前記筐体の前記第２導入口の下方において、前記筐体内に少なくとも一部が収容される収容位置と前記筐体外に少なくとも一部が引き出される引出位置との間で移動可能に設けられ、前記引出位置で前記第２導入口に導入される前記第２媒体を下方から支持可能なトレイと、
前記第１媒体および前記第２媒体を搬送するように構成される搬送ローラと、を備える、搬送装置。
【発明の詳細な説明】
【技術分野】
【０００１】
本発明は、画像読取装置および搬送装置に関する。
【背景技術】
【０００２】
特許文献１に開示されている画像読取装置は、筐体を備えている。筐体の背面側には、シートを導入するための導入口が形成されている。一方、筐体の前面側には、シートを排出するための排出口が形成されている。そして、筐体の内部には、導入口から排出口に至る搬送路が形成されている。搬送路には、画像読取ユニットが設けられている。また、画像読取ユニットの導入口側および排出口側には、それぞれ搬送ローラ対が設けられている。
【０００３】
導入口から導入されるシートは、搬送ローラ対により、搬送路を搬送される。このシートの搬送の途中で、画像読取ユニットにより、シートの表面の画像が読み取られる。
【０００４】
また、特許文献１に開示されている画像読取装置は、シートよりも幅狭で肉厚のカードに描かれている画像をも読み取ることができる。具体的には、排出口の一部は、カードを導入するカード導入口およびカードを排出するカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。このカードの搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
ところが、筐体が、たとえば、薄型である場合、カード導入口が画像読取装置の設置面に近い。そのため、たとえば、カードの一端部が手指等で摘まれ、カードの他端部がカード導入口に挿入されるときに、カードと設置面との間に使用者の手指等を位置させるのに十分なスペースがなく、カードをカード導入口に挿入しにくい。とくに、たとえば、筐体内に形成されたカード搬送路が前下りに傾斜している構成では、カードの一端部と設置面との間隔がカード導入口と設置面との間隔よりも小さいので、カードをカード導入口に挿入しにくい。
【０００８】
本発明の目的は、第１媒体よりも幅狭の第２媒体を第２導入口に容易に挿入できる、画像読取装置および搬送装置を提供することである。
【課題を解決するための手段】
【０００９】
前記の目的を達成するため、本発明の一の局面に係る画像読取装置は、第１導入口と、第１排出口と、前記第１導入口から前記第１排出口へ第１媒体が搬送されるように構成される第１搬送路と、前記第１排出口と少なくとも一部重複し、前記第１媒体よりも幅狭の第２媒体が導入されるように構成される第２導入口と、前記第２導入口から導入される前記第２媒体が搬送されるように構成される第２搬送路と、が形成された筐体と、前記筐体の前記第２導入口の下方において、前記筐体内に少なくとも一部が収容される収容位置と前記筐体外に少なくとも一部が引き出される引出位置との間で移動可能に設けられ、前記引出位置で前記第２導入口に導入される前記第２媒体を下方から支持可能なトレイと、前記第１搬送路を搬送される前記第１媒体および前記第２搬送路を搬送される前記第２媒体の画像を読み取るように構成される読取部と、を備える。
【００１０】
この構成によれば、トレイは、第２導入口の下方に、筐体内の収容位置と筐体外の引出位置との間で移動可能に設けられている。そして、トレイは、引出位置において、第２導入口に導入される第２媒体を下方から支持可能である。
【００１１】
これにより、たとえば、第２媒体の一端部が使用者の手指等で摘まれて、第２媒体の他端部が引出位置に位置するトレイ上で第２導入口に向けて摺動されることにより、その一端部を第２導入口に近づけることができる。このとき、手指等と設置面との間に十分な間隔が確保され得る。
【００１２】
よって、第２媒体を第２導入口に容易に挿入することができる。
【００１３】
トレイは、引出位置に位置するときに、第２搬送路と略平行に延びていることが好ましい。
【００１４】
この構成によれば、第２媒体が第２搬送路とトレイとに跨がるときに、第２媒体が湾曲することを抑制できる。
【００１５】
トレイは、トレイの先端部に設けられ、トレイの載置面に交差する方向に突出する突出部を備えていることが好ましい。
【００１６】
この構成によれば、トレイを収容位置と引出位置との間で移動させるときに、使用者の手指を突出部に掛けることができる。そのため、トレイを収容位置と引出位置とに容易に移動させることができる。
【００１７】
画像読取装置は、トレイが引出位置に位置しているか否かを検出するように構成されるセンサを備えていてもよい。
【００１８】
この場合、画像読取装置は、第１媒体を搬送するように構成される第１ローラと、センサにより、トレイが引出位置に位置することが検知されるときに、第１搬送路における第１媒体の搬送を禁止するように第１ローラを制御する制御部とを備えることが好ましい。
【００１９】
第１排出口と第２導入口とが同じ側に形成された構成では、トレイが引出位置に位置する状態で、第１媒体が第１搬送路を搬送されると、第１排出口から排出される第１媒体の先端部がトレイに引っ掛かり、第１媒体のジャムを生じるおそれがある。トレイが引出位置に位置しているときに、第１搬送路における第１媒体の搬送が禁止されることにより、第１媒体のジャムの発生を抑制することができる。
【００２０】
画像読取装置は、第２導入口に導入される第２媒体を搬送するように構成される第２ローラ対を備えていてもよい。
【００２１】
この場合、第２ローラ対は、その周面の一部が第１排出口側の筐体の側面から露出した駆動ローラと、駆動ローラの上方かつ側面よりも第１導入口側に配置され、駆動ローラよりも小径の従動ローラとを備えていることが好ましい。
【００２２】
従動ローラが筐体の側面から突出していないので、第２媒体を第２導入口に挿入するときに、従動ローラが邪魔にならない。よって、第２媒体を第２導入口に一層容易に挿入することができる。
【００２３】
第２搬送路は、第１導入口側よりも第１排出口側ほど下方に位置するように傾斜していてもよい。
【００２４】
この構成であっても、トレイを利用することにより、第２媒体を第２導入口に容易に挿入することができる。
【００２５】
筐体が上部筐体および下部筐体を備え、第１導入口、第１排出口および第１搬送路が上部筐体の下面と下部筐体の上面との間に形成されていてもよい。第２導入口は、上部筐体の下面と前記下部筐体の上面との間に、第１媒体の搬送方向に直交する第２方向に第１排出口の少なくとも一部と重複して形成されていてもよい。この場合に、下部筐体の搬送方向の第１導入口側には、第２媒体が通過可能な開口が形成され、第２導入口に導入される第２媒体は、第１導入口側へ開口まで搬送された後、第１排出口側へ逆送されて、第２導入口から排出されてもよい。
【００２６】
本発明の他の局面に係る搬送装置は、第１導入口と、第１排出口と、前記第１導入口から前記第１排出口へ第１媒体が搬送されるように構成される第１搬送路と、前記第１排出口と少なくとも一部重複し、前記第１媒体よりも幅狭の第２媒体が導入されるように構成される第２導入口と、前記第２導入口から導入される前記第２媒体が搬送されるように構成される第２搬送路と、が形成された筐体と、前記筐体の前記第２導入口の下方において、前記筐体内に少なくとも一部が収容される収容位置と前記筐体外に少なくとも一部が引き出される引出位置との間で移動可能に設けられ、前記引出位置で前記第２導入口に導入される前記第２媒体を下方から支持可能なトレイと、前記第１搬送路を搬送される前記第１媒体および前記第２搬送路を搬送される前記第２媒体の画像を読み取るように構成される読取部と、を備える。
【００２７】
これにより、たとえば、第２媒体の一端部が使用者の手指等で摘まれて、第２媒体の他端部が引出位置に位置するトレイ上で第２導入口に向けて摺動されることにより、その一端部を第２導入口に近づけることができる。このとき、手指等と設置面との間に十分な間隔が確保され得る。
【００２８】
よって、第２媒体を第２導入口へ容易に挿入することができる。
【発明の効果】
【００２９】
本発明によれば、第２媒体が第２導入口へ導入されるときに、トレイが使用されることにより、手指等と設置面との間に十分な間隔が確保され得る。よって、第２媒体を第２導入口へ容易に挿入することができる。
【図面の簡単な説明】
【００３０】
【図１Ａ】図１Ａは、本発明の一実施形態に係る画像読取装置１の左前上方から見た斜視図であり、カバー３が閉じられた状態を示す。
【図１Ｂ】図１Ｂは、本発明の一実施形態に係る画像読取装置１の右後上方から見た斜視図であり、カバー３が閉じられた状態を示す。
【図２】図２は、画像読取装置１の右前上方から見た斜視図であり、カバー３が開かれた状態を示す。
【図３】図３は、画像読取装置１の平面図であり、カバーが開かれるとともに、上部筐体１４がメンテナンス位置に配置された状態を示す。
【図４】図４は、画像読取装置１の断面図である。
【図５Ａ】図５Ａは、画像読取装置１の平面図であり、スライドトレイ４が収容位置に位置する状態を示す。
【図５Ｂ】図５Ｂは、画像読取装置１の平面図であり、スライドトレイ４が引出位置に位置する状態を示す。
【図６】図６は、画像読取装置１の電気的構成の要部を示すブロック図である。
【図７】図７は、スライドトレイ４の位置に応じてシートの搬送を許可／禁止する処理の流れを示すフローチャートである。
【図８】図８は、シート排出口２０２とカード導入口１２１とが少なくとも一部において重複していることを概略的に示すための説明図である。
【発明を実施するための形態】
【００３１】
以下では、本発明の実施の形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００３２】
＜外観＞
【００３３】
画像読取装置１は、筐体２およびカバー３を備えている。
【００３４】
＜筐体＞
【００３５】
筐体２は、左側板部１１、右側板部１２、下部筐体１３および上部筐体１４を備えている。
【００３６】
左側板部１１および右側板部１２は、左右方向に間隔を空けて配置されている。
【００３７】
下部筐体１３および上部筐体１４は、左側板部１１と右側板部１２との間に配置されている。
【００３８】
下部筐体１３は、左側板部１１および右側板部１２に対して固定されている。
【００３９】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２に示される通常位置と図３に示されるメンテナンス位置との間で回動可能に設けられている。
【００４０】
上部筐体１４は、図２に示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に一段凹んだ位置に位置する。
【００４１】
また、上部筐体１４は、メンテナンス位置で、下部筐体１３に対して前側に展開して、下部筐体１３の前端部上から前上方に延びる。
【００４２】
＜カバー＞
【００４３】
カバー３は、上カバー２１および前カバー２２を備えている。
【００４４】
上カバー２１の基端部は、筐体２の左側板部１１および右側板部１２の後上端部に回動可能に支持されている。これにより、上カバー２１は、図１Ａおよび図１Ｂに示される閉位置と図２に示される開位置との間で回動可能に設けられている。
【００４５】
上カバー２１は、閉位置で、下部筐体１３および上部筐体１４に上方から重なる。
【００４６】
また、上カバー２１は、開位置で、筐体２の後上端部から後上方に延びる。
【００４７】
前カバー２２は、図１Ａに示される屈曲位置と図２に示される伸張位置との間で回動可能に設けられている。
【００４８】
また、前カバー２２は、伸張位置で、上カバー２１と略同一平面上を延びる。上カバー２１が開位置に位置し、前カバー２２が伸張位置に位置する状態で、上カバー２１および前カバー２２は、図２に示されるように、筐体２の後上端部から後上方に延び、筐体２内に送り込まれる第１媒体の一例としてのシートＳＨが載置されるトレイをなす。シートＳＨは、例えば、用紙やＯＨＰシート等である。
【００４９】
下部筐体１３の後端縁３１は、下部筐体１３の前端縁３２よりも高い位置に位置している。下部筐体１３は、図３および図４に示されるように、傾斜部３３と平坦部３４とを有している。傾斜部３３は、前下方に延びる。下部筐体１３の後端縁３１は、下部筐体１３の前端縁３２よりも高い位置に位置しているため、平坦部３４は、前側ほど下方に位置するように傾斜している。
【００５０】
上部筐体１４の下面１４Ｂの後端縁７１は、図２に示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図４に示されるように、傾斜部７３と、平坦部７４とを有している。傾斜部７３は、傾斜部３３と平行をなして前下方に延びる。平坦部３４は、下部筐体１３の平坦部３４と平行をなして延びる。
【００５１】
シート導入口２０１とシート排出口２０２とシート搬送路２０３とが、上部筐体１４と下部筐体１３との間に形成されている。シート導入口２０１は、第１導入口の一例である。シート排出口２０２は、第１排出口の一例である。シート搬送路２０３は、第１搬送路の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３と下部筐体１３の傾斜部３３との間の空間、および上部筐体１４の平坦部７４と下部筐体１３の平坦部３４との間の空間である。
【００５２】
シート導入口２０１から導入されたシートＳＨは、筐体２内のシート搬送路２０３を通過して、シート排出口２０２から排出される。以下、このシートＳＨの流れに沿って、画像読取装置１が備える各構成の説明を行う。
【００５３】
画像読取装置１は、供給ローラ４１、分離片８１、ＬＦローラ４２、ＬＦピンチローラ８２、カードＬＦローラ４３、カードＬＦピンチローラ８３、排出ローラ４４、排出ピンチローラ８４、カード排出ローラ４５およびカード排出ピンチローラ８５を備えている。
【００５４】
供給ローラ４１は、図３に示されるように、２つのローラを備える。供給ローラ４１の２つのローラは回転軸５１に取り付けられている。供給ローラ４１は、傾斜部３３の左右方向の中央部に、配置されている。回転軸５１は、下部筐体１３の内部で左右方向に延び、下部筐体１３に回転可能に保持されている。
【００５５】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。したがって、本実施形態において、前方がシート搬送方向における下流側であり、後方がシート搬送方向における上流側である。
【００５６】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図４に示されるように、ＬＦローラ４２の周面に上方から当接している。ＬＦローラ４２が回転駆動されると、ＬＦピンチローラ８２がＬＦローラ４２に従動して回転される。
【００５７】
カードＬＦローラ４３は、ＬＦローラ４２の右側に間隔を空けた位置に配置されている。カードＬＦローラ４３は、ＬＦローラ４２と共通の回転軸５３に取り付けられている。カードＬＦピンチローラ８３は、ＬＦピンチローラ８２の右側に間隔を空けた位置に配置されている。カードＬＦピンチローラ８３は、図３に示されるように、２つのピンチローラを備える。カードＬＦピンチローラ８３の２つのピンチローラは、回転軸９１に取り付けられている。カードＬＦピンチローラ８３の２つのピンチローラの周面は、図４に示されるように、それぞれ下部筐体１３のカードＬＦローラ４３の周面の左側および右側に微小な間隔を空けて隣接する。
【００５８】
また、画像読取装置１は、図４に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２、およびコンタクトガラス６３を備える。
【００５９】
読取部の一例としてのＣＩＳユニット６２は、ＣＩＳホルダ６１内に収容されている。ＣＩＳユニット６２の内部には、たとえば、ＬＥＤ光源、レンズおよびイメージセンサが設けられている。読取部の一例としてのＣＩＳユニット１０２は、ＣＩＳホルダ１０１内に収容されている。ＣＩＳユニット１０２の内部には、たとえば、ＬＥＤ光源、レンズおよびイメージセンサが設けられている。
【００６０】
コンタクトガラス６３は、無色透明のガラスからなる。コンタクトガラス６３は、ＣＩＳホルダ６１の上面を閉塞するように設けられて、ＣＩＳホルダ６１に保持されている。コンタクトガラス１０３は、無色透明のガラスからなる。コンタクトガラス１０３は、ＣＩＳホルダ１０１の下面を閉塞するように設けられて、ＣＩＳホルダ１０１に保持されている。
【００６１】
ＣＩＳホルダ６１は、ＣＩＳユニット６２およびコンタクトガラス６３を保持した状態で、下部筐体１３の平坦部３４に形成された開口６４に嵌められている。ＣＩＳホルダ１０１は、ＣＩＳユニット１０２およびコンタクトガラス１０３を保持した状態で、上部筐体１４の平坦部７４に形成された開口１０４に嵌められている。
【００６２】
ＬＦローラ４２およびＬＦピンチローラ８２により搬送されるシートＳＨの両面の画像は、第１読取部１００および第２読取部６０により読み取られる。
【００６３】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのピンチローラは、回転軸５６に取り付けられている。排出ピンチローラ８４は、２つのピンチローラを備える。排出ピンチローラ８４の２つのピンチローラは、回転軸９４に取り付けられている。排出ピンチローラ８４の周面は、図４に示されるように、排出ローラ４４の周面に上方から当接している。排出ローラ４４が回転駆動されると、排出ピンチローラ８４が排出ローラ４４に従動して回転される。
【００６４】
カード排出ローラ４５およびカード排出ピンチローラ８５は、ＣＩＳユニット１０２およびＣＩＳユニット６２のシート搬送方向下流側に位置する。カード排出ローラ４５は、２つのローラを備える。カード排出ローラ４５の２つのローラは、回転軸５６に取り付けられている。カード排出ピンチローラ８５は、２つのピンチローラを備える。カード排出ピンチローラ８５の２つのピンチローラは、回転軸９４に取り付けられている。カード排出ピンチローラ８５の周面は、図４に示されるように、カード排出ローラ４５の周面に上方から当接している。カード排出ローラ４５が回転駆動されると、カード排出ピンチローラ８５は、カード排出ローラ４５に従動して回転される。カード排出ローラ４５は、その周面の一部が下部筐体１３の前面１３Ｆよりも前方に突出している。一方、カード排出ピンチローラ８５は、カード排出ローラ４５よりも小径であり、上部筐体１４の前面１４Ｆよりも後側に配置されている。
【００６５】
画像読取装置１では、シートＳＨよりも幅狭の第２媒体の一例としてのカードＣＡに描かれている画像を読み取ることができる。カードＣＡは、用紙等よりも幅狭で肉厚な媒体である。カードＣＡは、例えば、名刺、キャッシュカード、会員証または免許証等である。
【００６６】
カードＣＡの画像の読み取りのために、図２に示されるように、第２導入口の一例としてのカード導入口１２１がシート排出口２０２におけるカード排出ローラ４５およびカード排出ピンチローラ８５と前後方向に重なる部分に形成されている。本実施形態において、カード導入口１２１の下側の一部が、図８に示すように、シート排出口２０２の右側の一部と重複している。すなわち、シートＳＨおよびカードＣＡの両方が、この重複部分ＯＬを通過可能である。カード導入口１２１は、下部筐体１３の上面１３Ｕおよび上部筐体１４の下面１４Ｂの各前端部がそれぞれ上方および下方に切り欠かれることにより、上下方向にシート排出口２０２よりも少し大きな幅を有している。また、カード導入口１２１の左右方向の幅は、国際標準化機構（ＩＳＯ）／国際電気標準会議（ＩＥＣ）による国際規格ＩＤ−１のカードサイズの短辺の長さ（５３．９８ｍｍ）よりも大きく、その長辺の長さ（８５．６０ｍｍ）よりも小さい。
【００６７】
第２搬送路の一例としてのカード搬送路１２４が、下部筐体１３の上面１３Ｕの平坦部３４と上部筐体１４の下面１４Ｂの平坦部７４との間の空間および下部筐体１３における上面１３Ｕの傾斜部３３の下方の空間に形成されている。カード搬送路１２４のうち、下部筐体１３の平坦部３４と上部筐体１４の平坦部７４との間の搬送路は、シート搬送路２０３の右側の一領域である。すなわち、カード搬送路１２４は、シート搬送路２０３と少なくとも一部重複している。下部筐体１３の後端縁３１は、下部筐体１３の前端縁３２よりも高い位置に位置している。平坦部３４は、前側ほど下方に位置するように傾斜している。そして、平坦部７４は、平坦部３４に略平行である。そのため、カード搬送路１２４は、前側ほど下方に位置するように傾斜している。
【００６８】
図３および図４に示されるように、カード通過口１２２が下部筐体１３の傾斜部３３の前下端部と平坦部３４との間において、カード導入口１２１と前後方向に重なる位置に形成されている。
【００６９】
カード搬送路１２４の前端部は、カード導入口１２１に接続されている。また、カード通過口１２２は、カード搬送路１２４の途中に設けられている。下部筐体１３の平坦部３４と上部筐体１４の平坦部７４との間の空間は、カード通過口１２２により、下部筐体１３の傾斜部３３の下方の空間と連通している。したがって、カード通過口１２２を通して、カードＣＡは、下部筐体１３の平坦部３４と上部筐体１４の平坦部７４との間と下部筐体１３の傾斜部３３の下方とを行き来することができる。
【００７０】
頭出し開口１２８は、下部筐体１３の後面１３Ｒに、後方に開放して形成されている。
【００７１】
＜スライドトレイ＞
【００７２】
画像読取装置１は、図２、図４、図５Ａおよび図５Ｂに示されるように、トレイの一例としてのスライドトレイ４を備えている。スライドトレイ４は、カード導入口１２１の下方において、下部筐体１３内に収容される収容位置と下部筐体１３の前方に引き出された引出位置との間で移動可能に設けられている。
【００７３】
すなわち、画像読取装置１は、側面の一例としての前面２Ｆにおいて、第２導入口の一例としてのカード導入口１２１の下方に、筐体２内の収容位置と筐体２外の引出位置との間で移動可能に設けられ、引出位置でカード導入口１２１に導入される第２媒体の一例としてのカードＣＡを下方から支持可能なトレイの一例としてのスライドトレイ４を備えている。
【００７４】
スライドトレイ４は、図５Ａおよび図５Ｂに示されるように、トレイ本体部１１１、連結部１１２および突出部１１３を備えている。
【００７５】
トレイ本体部１１１は、左右方向に間隔を空けて一対設けられている。左側のトレイ本体部１１１は、左側のカード排出ローラ４５の左側に配置されている。右側のトレイ本体部１１１は、右側のカード排出ローラ４５の右側で、左側のトレイ本体部１１１と同じ高さの位置に配置されている。各トレイ本体部１１１は、カード搬送路１２４と略平行をなして、前後方向に延びている。
【００７６】
連結部１１２は、下部筐体１３内において、一対のトレイ本体部１１１の各後端部を連結している。
【００７７】
突出部１１３は、各トレイ本体部１１１の前端部に設けられ、その前端縁の全幅から上方に突出している。これにより、トレイの一例としてのスライドトレイ４は、スライドトレイの先端部の一例としての前端部に設けられ、載置面の一例としての各トレイ本体部１１１の上面と交差する方向に突出する突出部１１３を備える。各突出部１１３の各トレイ本体部１１１からの高さは、シートＳＨの排出時にシートＳＨの右側の一部分が各突出部１１３の先端部の上方を通過するような高さにて設計されている。
【００７８】
スライドトレイ４が収容位置に位置する状態では、図５Ａに示されるように、各トレイ本体部１１１および連結部１１２が下部筐体１３内に配置され、各突出部１１３が下部筐体１３外に位置する。
【００７９】
一方、スライドトレイ４が引出位置に位置する状態では、図５Ｂに示されるように、各トレイ本体部１１１の後端部および連結部１１２が下部筐体１３内に残り、各トレイ本体部１１１の後端部以外の部分および各突出部１１３が下部筐体１３外に位置する。
【００８０】
＜シート画像の読み取り＞
【００８１】
画像読取装置１におけるシートＳＨの画像の読み取りの際には、図２および図４に示されるように、上カバー２１が開位置に配置されるとともに、前カバー２２が伸張位置に配置される。そして、開位置の上カバー２１および伸張位置の前カバー２２がなすトレイ上に、シートＳＨが載置される。そして、非図示の読取ボタン等がユーザに押されると、供給ローラ４１等が右側から見て反時計回りに回転され、シートＳＨの画像の読取が実行される。このよき、スライドトレイ４は、非使用時であり、スライドトレイ４が収容位置に配置されている。
【００８２】
トレイ上に載置されるシートＳＨは、その先端部が供給ローラ４１および分離片８１に当接するまで、シート導入口２０１内に差し込まれる。
【００８３】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２およびＬＦピンチローラ８２に向けて搬送される。シートＳＨの先端部が供給ローラ４１と分離片８１との間に挟まれたときに、シートＳＨが１枚ずつに分離され、１枚のシートＳＨのみが供給ローラ４１と分離片８１との間を通過する。
【００８４】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３の周面の当接部分に到達すると、ＬＦローラ４２およびカードＬＦローラ４３により、シートＳＨに搬送力が付与される。
【００８５】
ＬＦローラ４２，ＬＦピンチローラ８２およびカードＬＦローラ４３、カードＬＦピンチローラ８３間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像が読み取られる。
【００８６】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【００８７】
排出ローラ４４、排出ピンチローラ８４およびカード排出ローラ４５，カード排出ピンチローラ８５間を搬送されるシートＳＨは、シート排出口２０２を通過して、筐体２外に排出される。このとき、シートＳＨの右側の一部分が各突出部１１３の先端部の上方を通過するように各突出部１１３の高さが設計されている。したがって、シートＳＨの排出が各突出部１１３により妨げられる可能性を低減できる。
【００８８】
＜センサ＞
【００８９】
画像読取装置１は、図５Ａおよび図５Ｂに示されるように、トレイの一例としてのスライドトレイ４が引出位置に位置しているか否かを検出するように構成されるセンサの一例としてのトレイセンサ１３１を備えている。
【００９０】
トレイセンサ１３１は、マイクロスイッチからなる。トレイセンサ１３１は、下部筐体１３内において、収容位置に位置するスライドトレイ４の後端部の左側に配置されている。スライドトレイ４が収容位置に位置する状態では、トレイセンサ１３１のアクチュエータ１３２がスライドトレイ４の後端部によって後方に押され、トレイセンサ１３１からオン信号が出力される。一方、スライドトレイ４が引出位置に位置する状態では、トレイセンサ１３１のアクチュエータ１３２とスライドトレイ４とが離間し、トレイセンサ１３１からオフ信号が出力される。
【００９１】
＜電気的構成＞
【００９２】
画像読取装置１は、図６に示されるように、マイクロコンピュータを含む構成の制御部１４１を備えている。
【００９３】
トレイセンサ１３１から出力される信号は、制御部１４１に入力される。制御部１４１は、トレイセンサ１３１の出力信号に基づいて、モータ１４２の動作を制御する。
【００９４】
モータ１４２の駆動力は、ギヤおよびクラッチ等を備える駆動伝達機構１４３を介して、供給ローラ４１、ＬＦローラ４２、カードＬＦローラ４３、排出ローラ４４およびカード排出ローラ４５に伝達される。
【００９５】
＜制御内容＞
【００９６】
画像読取装置１の電源がオンされている間、制御部１４１により、図７に示される処理が繰り返される。
【００９７】
図７に示される処理では、まず、スライドトレイ４が収容位置に位置しているか否かが判断される（ステップＳ１）。スライドトレイ４が収容位置に位置しているか否かは、トレイセンサ１３１からオン信号が出力されているか否かによって判断される。すなわち、トレイセンサ１３１からオン信号が出力されていれば、スライドトレイ４が収容位置に位置していると判断される。一方、トレイセンサ１３１からオン信号が出力されていなければ、つまりトレイセンサ１３１からオフ信号が出力されていれば、スライドトレイ４が収容位置に位置していないと判断される。
【００９８】
スライドトレイ４が収容位置に位置しているときには（ステップＳ１のＹＥＳ）、シートＳＨの搬送が許可される（ステップＳ２）。具体的には、モータ１４２が制御されて、供給ローラ４１が右側から見て反時計回りに回転される。
【００９９】
一方、スライドトレイ４が収容位置に位置していないときには（ステップＳ１のＮＯ）、シートＳＨの搬送が禁止される（ステップＳ３）。具体的には、モータ１４２が制御されて、供給ローラ４１が右側から見て反時計回りに回転することが禁止される。そして、その後、カードＣＡがカード導入口１２１に挿入されたことが非図示のセンサなどで検知されると、モータ１４２によりカード排出ローラ４５等が右側から見て時計回りに回転する。これにより、カードＣＡが搬送される。このとき、供給ローラ４１には駆動伝達機構１４３により駆動力の伝達が解除されているため、シートＳＨの搬送が禁止されている。
【０１００】
これにより、画像読取装置１は、第１媒体の一例としてのシートＳＨを搬送するように構成される第１ローラの一例としての供給ローラ４１と、センサの一例としてのトレイセンサ１３１によりトレイの一例としてのスライドトレイ４が引出位置に位置することが検知されるときに、第１搬送路の一例としてのシート搬送路２０３におけるシートＳＨの搬送を禁止するように供給ローラ４１を制御する制御部１４１とを備える。
【０１０１】
＜カード画像の読み取り＞
【０１０２】
カードＣＡの画像の読み取りの際には、スライドトレイ４が使用される。
【０１０３】
スライドトレイ４を使用するために、使用者の手指が、たとえば、突出部１１３に掛けられて、突出部１１３が前方に引かれる。これにより、スライドトレイ４が収容位置から前方に移動し、スライドトレイ４が引出位置に位置する。トレイの一例としてのスライドトレイ４は、引出位置に位置するときに、第２搬送路の一例としてのカード搬送路１２４と略平行に延びている。
【０１０４】
その後、たとえば、使用者の手指でカードＣＡの長手方向の一端部が摘まれて、カードＣＡの長手方向の他端部がスライドトレイ４のトレイ本体部１１１上に載置される。このとき、カードＣＡは、たとえば、その一端部が他端部よりも上方に位置するように傾斜した姿勢をなす。そして、たとえば、カードＣＡの一端部が手指で押されることにより、その他端部がトレイ本体部１１１上を後方に移動し、カード導入口１２１内にカードＣＡが挿入される。
【０１０５】
カード導入口１２１内にカードＣＡが挿入されると、カード排出ローラ４５が右側から見て時計回りに回転される。カード排出ピンチローラ８５は、カード排出ローラ４５の回転に伴って、右側から見て反時計回りに回転する。カード排出ローラ４５からカードＣＡに搬送力が付与され、そのカードＣＡがカード排出ローラ４５の周面とカード排出ピンチローラ８５の周面との間に引き込まれる。カードＣＡの引き込みが開始されるタイミングでは、カードＣＡは、カード排出ローラ４５，８５の各周面に当接するとともに、スライドトレイ４の各突出部１１３に上方から載置されて、水平方向に延びる姿勢をなす。その後、カードＣＡは、少し湾曲し、その先端部である他端部がカード搬送路１２４と平行に延びる姿勢をなす。
【０１０６】
その後、カードＣＡは、第１読取部１００と第２読取部６０との間を通過する。
【０１０７】
カードＬＦローラ４３は、カード排出ローラ４５の回転開始と同時に、右側から見て時計回りに回転される。カードＬＦピンチローラ８３は、カードＬＦローラ４３の回転に伴って、右側から見て反時計回りに回転する。第１読取部１００と第２読取部６０との間を通過したカードＣＡの先端部がカードＬＦローラ４３の周面とカードＬＦピンチローラ８３の周面との間に到達すると、カードＬＦローラ４３からカードＣＡに搬送力が付与される。
【０１０８】
カードＣＡがカード通過口１２２を通過し、カードＣＡの先端部の反対側である後端部がカードＬＦローラ４３の周面とカードＬＦピンチローラ８３の周面との間に挟持される位置まで、カードＣＡの搬送が進むと、カードＬＦローラ４３およびカード排出ローラ４５の回転が停止される。カードＬＦローラ４３およびカード排出ローラ４５の回転が停止されると、カードＣＡは頭出し開口１２８からその先端部が頭出しされた状態で一時停止される。頭出し開口１２８は、下部筐体１３の後面１３Ｒにおけるカード通過口１２２と前後方向に重なる位置に形成されている。
【０１０９】
その後、カードＬＦローラ４３およびカード排出ローラ４５が右側から見て反時計回りに回転される。カードＬＦピンチローラ８３およびカード排出ピンチローラ８５は、右側から見て時計回りに回転する。これにより、カードＣＡは、その搬送方向が反転され、後側から前側に向かう方向に搬送される。
【０１１０】
カードＣＡは、第１読取部１００および第２読取部６０の間を通過する。このとき、カードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像が読み取られる。
【０１１１】
第１読取部１００および第２読取部６０の間を通過したカードＣＡの先端部がカード排出ローラ４５の周面とカード排出ピンチローラの８５の周面との当接部分に到達すると、カード排出ローラ４５からカードＣＡに搬送力が付与され、そのカードＣＡがカード排出ローラ４５の周面とカード排出ピンチローラ８５の周面との間に引き込まれる。そして、カード排出ローラ４５とカード排出ピンチローラ８５との間を搬送されるカードＣＡは、カード導入口１２１を通過して、筐体２外に排出される。
【０１１２】
このように、カード導入口１２１から導入されたカードＣＡは、筐体２内をスイッチバック搬送され、カード導入口１２１から排出される。
【０１１３】
＜作用効果＞
【０１１４】
以上のように、スライドトレイ４は、カード導入口１２１の下方に、筐体２内の収容位置と筐体２外の引出位置との間で移動可能に設けられている。そして、スライドトレイ４は、引出位置において、カード導入口１２１に導入されるカードＣＡを下方から支持可能である。
【０１１５】
これにより、たとえば、カードＣＡの一端部が使用者の手指等で摘まれて、カードＣＡの他端部が引出位置に位置するスライドトレイ４上でカード導入口１２１に向けて摺動されることにより、その一端部をカード導入口１２１に近づけることができる。このとき、手指等と設置面との間に十分な間隔が確保され得る。
【０１１６】
よって、カードＣＡをカード導入口１２１へ容易に挿入することができる。
【０１１７】
スライドトレイ４は、引出位置に位置するときに、カード搬送路１２４と略平行に延びている。そのため、カードＣＡがカード搬送路１２４とスライドトレイ４とに跨がるときに、カードＣＡが湾曲することを抑制できる。
【０１１８】
スライドトレイ４は、スライドトレイ４の先端部に設けられ、トレイ本体部１１１と交差する方向に突出する突出部１１３を備えている。そのため、スライドトレイ４を収容位置と引出位置との間で移動させるときに、使用者の手指を突出部１１３に掛けることができる。そのため、スライドトレイ４を収容位置と引出位置とに容易に移動させることができる。
【０１１９】
画像読取装置１は、スライドトレイ４が引出位置に位置しているか否かを検出するように構成されるトレイセンサ１３１を備えている。また、画像読取装置１は、シートＳＨを搬送するように構成される供給ローラ４１と、トレイセンサ１３１により、スライドトレイ４が引出位置に位置することが検知されるときに、シート搬送路２０３におけるシートＳＨの搬送を禁止するように供給ローラ４１を制御する制御部１４１とを備えている。
【０１２０】
シート排出口２０２とカード導入口１２１とが同じ側に形成された構成では、スライドトレイ４が引出位置に位置する状態で、シートＳＨがシート搬送路２０３を搬送されると、シート排出口２０２から排出されるシートＳＨの先端部がスライドトレイ４に引っ掛かり、シートＳＨのジャムを生じるおそれがある。スライドトレイ４が引出位置に位置しているときに、シート搬送路２０３におけるシートＳＨの搬送が禁止されることにより、シートＳＨのジャムの発生を抑制することができる。
【０１２１】
また、画像読取装置１は、カード搬送路１２４に設けられ、カード導入口１２１に導入されるカードＣＡを搬送するように構成されるカード排出ローラ４５，８５を備えている。
【０１２２】
カード排出ローラ４５は、その周面の一部が下部筐体１３の前面１３Ｆよりも前方に突出している。一方、カード排出ピンチローラ８５は、カード排出ローラ４５よりも小径であり、上部筐体１４の前面１４Ｆよりも後側に配置されている。
【０１２３】
カード排出ピンチローラ８５が上部筐体１４の前面１４Ｆから突出していないので、カードをカード導入口１２１に挿入するときに、そのカード排出ピンチローラ８５が邪魔にならない。よって、カードＣＡをカード導入口１２１へ一層容易に挿入することができる。
【０１２４】
カード搬送路１２４は、前側ほど下方に位置するように傾斜している。この構成であっても、スライドトレイ４を利用することにより、カードＣＡをカード導入口１２１へ容易に挿入することができる。
【０１２５】
＜変形例＞
【０１２６】
以上、本発明の一実施形態について説明したが、本発明は、他の形態で実施することもできる。
【０１２７】
前述の実施形態では、カード導入口１２１は、カードＣＡが排出されるカード排出口を兼ねており、カード導入口１２１から導入されるカードＣＡは、カード搬送路１２４を後方へ搬送された後、前方へ搬送されて、カード導入口１２１から排出されていた。しかし、これに限らず、たとえば、カード導入口１２１から導入されたカードＣＡがカード搬送路１２４を後方へ搬送され、開口１２８からそのまま装置外へ排出されてもよい。この場合、第１読取部１００および第２読取部６０は、カードＣＡがカード搬送路１２４を後方へ搬送されている過程でカードＣＡの画像を読み取ればよい。
【０１２８】
また、たとえば、トレイセンサ１３１は、マイクロスイッチからなるとした。しかしながら、トレイセンサ１３１は、スライドトレイ４が収容位置に位置しているか否かを検出できるものであればよく、マイクロスイッチの他に、近接センサまたは発光素子および受光素子を備えるフォトセンサなどであってもよい。
【０１２９】
前述の実施形態では、カード導入口１２１の下側の一部が、シート排出口２０２の右側の一部と重複していた。しかし、これに限らず、例えば、シート排出口２０２の右側の一部がカード導入口１２１であってもよい。すなわち、カード導入口１２１の全領域がシート排出口２０２に右側において含まれていてもよい。カード搬送路１２４のうち、下部筐体１３の平坦部３４と上部筐体１４の平坦部７４との間の搬送路は、シート搬送路２０３の右側の一領域であった。しかし、これに限らず、例えば、カード搬送路１２４のうち、下部筐体１３の平坦部３４と上部筐体１４の平坦部７４との間の搬送路の下側一部が、シート搬送路２０３の右側の一部と重複していてもよい。
カードＬＦピンチローラ８３は、２つのピンチローラを備え、カードＬＦピンチローラ８３の２つのピンチローラの周面は、それぞれ下部筐体１３のカードＬＦローラ４３の周面に左側および右側に微小な間隔を空けて隣接していた。しかし、これに限らず、例えば、カードＬＦピンチローラ８３は、１つのピンチローラからなり、ピンチローラの周面が、下部筐体１３のカードＬＦローラ４３の周面に上方から当接していてもよい。
【０１３０】
その他、前述の構成には、特許請求の範囲に記載された事項の範囲で種々の設計変更を施すことが可能である。
【符号の説明】
【０１３１】
１      画像読取装置
２      筐体
２Ｆ    前面
４      スライドトレイ
１３    下部筐体
１３Ｆ  前面
１３Ｕ  上面
１４    上部筐体
１４Ｂ  下面
１４Ｆ  前面
４１    供給ローラ
４５    カード排出ローラ
６２    ＣＩＳユニット
８５    カード排出ローラ
１０２  ＣＩＳユニット
１２１  カード導入口
１２２  カード通過口
１２４  カード搬送路
１３１  トレイセンサ
１４１  制御部
２０１  シート導入口
２０２  シート排出口
２０３  シート搬送路
ＣＡ    カード
ＳＨ    シート
【図１Ａ】
2014082621.tif 000003
【図１Ｂ】
2014082621.tif 000004
【図２】
2014082621.tif 000005
【図３】
2014082621.tif 000006
【図４】
2014082621.tif 000007
【図５Ａ】
2014082621.tif 000008
【図５Ｂ】
2014082621.tif 000009
【図６】
2014082621.tif 000010
【図７】
2014082621.tif 000011
【図８】
2014082621.tif 000012